(57)【要約】【課題】光学シートの位置ズレを抑制するとともに狭額縁化が可能な光源装置および表示装置を提供する。【解決手段】光源装置２は、光源２８、導光板２３、光学シート２２１〜２２３および粘着材２９を備える。導光板２３は、光源２８からの光が入射される入射面２３１ａと、入射面２３１ａから入射された光を出射する出射面２３２とを有する。光学シート２２１〜２２３は、出射面２３２上に重ねて配置される。粘着材２９は光学シート２２１〜２２３の位置を固定する。光学シート２２１〜２２３は、それぞれ、その周縁の一部が延びて導光板２３の側面２３１と対向するように折れ曲がる延出部２２１ａ〜２２３ａを有する。延出部２２１ａ〜２２３ａは、互いに完全には重ならないように位置をずらして並んでおり、延出部２２１ａ〜２２３ａに粘着材２９がつけられる。【選択図】図３
2018106875.tif 000002
【特許請求の範囲】
【請求項１】
光源と、
前記光源からの光が入射される入射面と、前記入射面から入射された前記光を出射する出射面とを有する導光板と、
前記出射面上に重ねて配置され、前記出射面からの出射光に対して光学的に作用する複数の光学シートと、
前記複数の光学シートの位置を固定する粘着材と
を備え、
前記複数の光学シートのそれぞれは、その周縁の一部が延びて前記導光板の側面と対向するように折れ曲がる延出部を有し、
前記複数の光学シートがそれぞれ有する複数の前記延出部は、互いに完全には重ならないように位置をずらして並んでおり、前記複数の延出部に前記粘着材がつけられる、光源装置。
【請求項２】
請求項１に記載の光源装置であって、
前記粘着材は、前記複数の延出部を前記導光板の前記側面に貼り付ける、光源装置。
【請求項３】
請求項１または請求項２に記載の光源装置であって、
前記導光板は前記側面に、前記複数の延出部と対向する部分が凹となる側面凹部を有する、光源装置。
【請求項４】
請求項１から請求項３のいずれか一項に記載の光源装置であって、
前記導光板を保持するフレームをさらに備え、
前記粘着材は、前記フレームと前記複数の延出部とを貼り合せる、光源装置。
【請求項５】
請求項１から請求項４のいずれか一項に記載の光源装置であって、
前記複数の光学シートの少なくとも一つは、前記導光板の前記側面における互いに対向しない複数の面とそれぞれ対向し、前記粘着材がつけられる複数の前記延出部を有する、光源装置。
【請求項６】
請求項１から請求項５のいずれか一項に記載の光源装置であって、
前記複数の光学シートがそれぞれ有する複数の前記延出部は、前記導光板における前記出射面とは反対側の背面と対向するように延びて折れ曲がっており、前記背面側において当該複数の延出部に前記粘着材がつけられる、光源装置。
【請求項７】
請求項６に記載の光源装置であって、
前記導光板は前記背面に、前記複数の光学シートがそれぞれ有する複数の前記延出部と対向する部分が凹となる背面凹部を有する、光源装置。
【請求項８】
請求項１から請求項７のいずれか一項に記載の光源装置であって、
前記複数の光学シートがそれぞれ有する複数の前記延出部は、前記複数の光学シートが前記出射面上で重なる順番と同じ順番で並んでいる、光源装置。
【請求項９】
請求項８に記載の光源装置であって、
前記複数の光学シートがそれぞれ有する複数の前記延出部は離間して並んでおり、隣り合う二つの前記延出部は互いに対応する形状である、光源装置。
【請求項１０】
請求項１から請求項９のいずれか一項に記載の光源装置と、
前記光源装置からの光を用いて映像を表示する表示パネルと
を備える、表示装置。
【発明の詳細な説明】
【技術分野】
【０００１】
本発明は、光源装置、および光源装置を備える表示装置に関するものである。
【背景技術】
【０００２】
一般的な液晶表示装置は、液晶表示パネル、光源装置およびフレームを備える。液晶表示パネルは、液晶を挟持する一対の基板、当該一対の基板を挟むように設けられた二つの偏光板などを有する。液晶表示パネルは光源装置が出射する光を用いて映像を表示する。フレームは、液晶表示パネルと光源装置とを係合する。
【０００３】
光源装置は、光源、導光板、光学シート、反射シートおよびリアフレームを備える。導光板は、光源から入射された光を出射面から面状に出射する。光学シートは導光板の出射面側に配置され、導光板からの出射光を拡散するなどして制御する。反射シートは、導光板における出射面とは反対側の反出射面側に配置され、反出射面から出射した光を再び導光板に入射させる。リアフレームはこれらの部材を保持する。
【０００４】
光源装置は、液晶表示装置などの表示装置において所望の明るさおよび視野角が得られるように複数枚の光学シートを備えている。複数枚の光学シートは適正な順番で配置される必要がある。
【０００５】
光源装置のリアフレームは金属製のケースであり、光学シートなどの光学系の部材は樹脂からなる。表示装置は、車載用途または産業用途などの広温度範囲での動作時の表示品位を保つために、上記のような材質が異なる金属と樹脂との伸縮膨張の寸法を考慮した設計がなされており、十分なクリアランスが確保されている。そのため、このクリアランスによって生じる光学シートの位置ズレが問題になることがある。
【０００６】
そこで従来、光源装置の有効光出射領域の外側に位置する複数の光学シートの周縁部のそれぞれを、部分的に切欠いて階段状に露出させ、この露出させた部分にテープを張り付けて複数の光学シートの位置ズレを抑制していた。
【０００７】
また、特許文献１および特許文献２に記載の表示装置では、光学シートの位置ズレに対する構造が開示されている。特許文献１に記載の構造は、導光板の平面端部における光学シート側に凸形状を設け、この凸形状と係合する切欠きを光学シートに設けるものである。特許文献２に記載の構造は、導光板の側面に光学シートの折曲げ部が差し込まれる矩形の切欠きを設け、導光板を保持するケースに導光板の切欠きに係合する凸形状を設け、これらで光学シートの折り曲げ部を挟みこむものである。
【先行技術文献】
【特許文献】
【０００８】
【特許文献１】特開２００９−１８７７２８号公報
【特許文献２】特開２００８−３０５５７６号公報
【発明の概要】
【発明が解決しようとする課題】
【０００９】
しかしながら、これらの構造では、導光板の凸形状または切欠き構造を光源装置の有効光出射領域の外側に形成するために表示装置の外周部にスペースを設ける必要があることから、光源装置の狭額縁化が困難であった。
【００１０】
そこで、本発明は、上記のような課題を解決するためになされたものであって、光学シートの位置ズレを抑制するとともに狭額縁化が可能な光源装置および当該光源装置を備える表示装置を提供することを目的とする。
【課題を解決するための手段】
【００１１】
本発明に係る光源装置は、光源、導光板、複数の光学シートおよび粘着材を備える。導光板は、光源からの光が入射される入射面と、入射面から入射された光を出射する出射面とを有する。複数の光学シートは、出射面上に重ねて配置され、出射面からの出射光に対して光学的に作用する。粘着材は複数の光学シートの位置を固定する。複数の光学シートのそれぞれは、その周縁の一部が延びて導光板の側面と対向するように折れ曲がる延出部を有する。複数の光学シートがそれぞれ有する複数の延出部は、互いに完全には重ならないように位置をずらして並んでおり、複数の延出部に粘着材がつけられる。
【発明の効果】
【００１２】
本発明によれば、複数の光学シートそれぞれの周縁の一部が延びて導光板の側面と対向するように折れ曲がる複数の延出部に粘着材がつけられて複数の光学シートの位置が固定される。これにより、複数の光学シートの位置ズレを抑制することができる。また、導光板に設けた凸形状もしくは切欠き構造などによって固定する場合、または導光板の上面でテープ固定する場合と比較して、狭額縁化が可能となる。
【図面の簡単な説明】
【００１３】
【図１】実施の形態１に係る表示装置の分解斜視図である。
【図２】実施の形態１に係る表示パネルの斜視図である。
【図３】実施の形態１に係る光学シートが位置固定される様子を示す斜視図である。
【図４】実施の形態１に係る光学シートの平坦な状態での平面図である。
【図５】実施の形態１に係る光学シートが位置固定された状態を示す側面図である。
【図６】実施の形態１に係る光学シートが位置固定された状態を示す上面図である。
【図７】実施の形態２に係る光学シートが位置固定された状態を示す側面図である。
【図８】実施の形態２に係る光学シートが位置固定された状態を示す上面図である。
【図９】実施の形態３に係る光学シートが位置固定される様子を示す斜視図である。
【図１０】実施の形態４に係る光学シートの平坦な状態での平面図である。
【図１１】実施の形態４に係る光学シートが位置固定された状態を示す背面図である。
【図１２】実施の形態５に係る光学シートが位置固定される様子を示す分解斜視図である。
【図１３】実施の形態６に係る光学シートが位置固定される様子を示す分解斜視図である。
【図１４】実施の形態７に係る光学シートおよび導光板の側面図である。
【発明を実施するための形態】
【００１４】
以下、本発明の実施の形態について図面に基づいて説明する。
【００１５】
＜実施の形態１＞
＜表示装置の構成＞
図１は、本発明の実施の形態１に係る表示装置１００の構成の一例を概略的に示す分解斜視図である。図１に示されるように、表示装置１００は、表示パネル１、光源装置２、フロントフレーム３、回路基板４、ＦＰＣ（Flexible Printed Circuits）６、保護カバー５および絶縁シート２７を備える。
【００１６】
光源装置２は表示パネル１を背面側から照射し、表示パネル１は光源装置２が出射する光を用いて映像を表示する。表示パネル１および光源装置２は、フロントフレーム３の開口部３ａ内に配置され、開口部３ａから表示パネル１に表示される映像がユーザに視認される。回路基板４には表示パネル１を駆動するための回路などが設けられている。回路基板４と表示パネル１とはＦＰＣ６によって電気的に接続されている。表示パネル１の前面側（つまり映像が表示される側）には、表示画面に対して操作される操作子の位置を検出するためのタッチパネルと、タッチパネルを保護するための概ね透明の保護部材とが設けられることがある。以下では、本実施の形態に係る表示装置１００を構成する上記各部材に関しより詳細に説明する。
【００１７】
＜表示パネルの構成＞
表示パネル１は、液晶の複屈折性を応用して映像を表示する、透過型または半透過型の液晶表示パネルである。図２は、本発明の実施の形態１に係る表示装置１００が備える表示パネル１の構成の一例を概略的に示す斜視図である。図２に示されるように、表示パネル１は、第１の基板１１、第２の基板１２および駆動用ＩＣ（Integrated Circuit）１３を備える。
【００１８】
第１の基板１１では、ガラスなどの絶縁性基板上にＣＦ（Color Filter：カラーフィルタ）、遮光層および対向電極等が形成されている。第１の基板１１は、「カラーフィルタ基板」または「対向基板」等と呼ばれる。第２の基板１２では、ガラスなどの絶縁性基板上にスイッチング素子となるＴＦＴ（Thin Film Transistor：薄膜トランジスタ）および画素電極等が形成されている。第２の基板１２は、「ＴＦＴ基板」または「アレイ基板」等と呼ばれる。
【００１９】
また、表示パネル１は、第１の基板１１および第２の基板１２の両基板の間隔を保持するためのスペーサと、当該両基板を貼り合わせるためのシール材と、当該両基板間に狭持される液晶と、液晶を注入する注入口の封止材とを備える。さらに、表示パネル１は、第１の基板１１および第２の基板１２の両基板の内側面上にそれぞれ配置され液晶を配光させる二つの配向膜と、当該両基板の外側面上にそれぞれ配置される二つの偏光板等を備える。
【００２０】
駆動用ＩＣ１３は、第２の基板１２の外周部上、または第２の基板１２の外周部に接続されたテープ状の配線材料であるＴＣＰ（Tape Carrier Package）もしくはＣＯＦ（Chip On Film）等の上に配置され、ＴＦＴを駆動する。なお、表示パネル１の構成は、一般的な液晶表示パネルの構成であることから、上記構成要素の図示および詳細な説明を一部省略する。
【００２１】
＜光源装置の構成＞
光源装置２は、表示パネル１における映像が表示される表示面とは反対側（つまり第２の基板１２側）から表示パネル１を照射する。図１に示されるように、光源装置２は、光源２８、光源基板２６、導光板２３、光学シート２２１〜２２３、反射板２４、ミドルフレーム２１およびリアフレーム２５を備える。
【００２２】
光源２８は、ＲＧＢ（Red：赤、Green：緑、Blue：青の光の３原色）の点状光源、ＲＧＢ以外の発光色のＬＥＤ、または蛍光管ランプ等である。光源２８は、光源基板２６上に配置される。光源２８が点状光源である場合には、光源基板２６として、一般的なガラスエポキシ樹脂をベースにした基板、またはフレキシブルなフラットケーブルが使用される。また、光源２８等の放熱性を高めるために、光源基板２６として、アルミ等の金属またはセラミックをベースにした基板を使用してもよい。光源基板２６は後述する導光板２３またはリアフレーム２５等に貼り付けられ保持される。
【００２３】
導光板２３は、光源２８から出射された光が入射される入射面２３１ａと、入射面２３１ａから入射された光を出射する出射面２３２とを有する。本実施の形態では、導光板２３の側面２３１の一つの面が入射面２３１ａとなっており、導光板２３の前面が出射面２３２となっている。導光板２３は透明であって、アクリル樹脂、ポリカーボネート樹脂またはガラスなどからなる。導光板２３の出射面２３２と、出射面２３２とは反対側の背面となる反出射面２３３とのうち少なくとも一方には、光を出射させるとともに、面内の光の強度分布および出射方向を調整するための、散乱用ドットパターンまたはプリズム形状が設けられる。導光板２３は、例えば、両面テープまたは接着剤などの粘着材によってリアフレーム２５に固定される。
【００２４】
光学シート２２１〜２２３は、導光板２３の出射面２３２上にその順で重ねて配置され、出射面２３２からの出射光に対して光学的に作用する。光学シート２２１〜２２３のそれぞれは、例えば、集光を目的としたレンズシート、光の均一化を目的とした拡散シート、または視野角方向で輝度を調整する視野角調整シートなどであって、出射面２３２からの出射光の強度分布および出射角などを制御する。光学シート２２１〜２２３の材料としては、ＰＣ（Polycarbonate：ポリカーボネート）またはＰＥＴ（Poly Ethylene Terephthalate）等の樹脂材料が用いられる。なお、本実施の形態では、光学シートが３枚である場合を例にして説明するが、光学シートは目的に応じて必要な枚数、適正な順番で配置される。
【００２５】
反射板２４は、例えばシート状であって、導光板２３の反出射面２３３側に配置され、反出射面２３３から出射された光を導光板２３に向かわせる。
【００２６】
ミドルフレーム２１は、導光板２３の出射面２３２から出射された光が表示パネル１を照射するための開口部２１ａを有する枠状の部材である。ミドルフレーム２１の上面側周辺には表示パネル１が搭載され、位置決めされて保持される。ミドルフレーム２１の材質としては、アルミニウム、ステンレスもしくは鉄等の金属、またはＰＣもしくはＡＢＳ（Acrylonitrile Butadiene Styrene：アクリロニトリルブタジエンスチレン）等の樹脂材料を用いることができる。
【００２７】
リアフレーム２５には、光源２８から放出される熱を伝導させるために、熱伝導性が高い金属を使用することが望ましい。特に熱伝導性が高いアルミニウムまたはアルミニウム合金からなる筐体をリアフレーム２５として用いることで、効率よく光源２８からの熱を放熱して、光源装置２に熱がこもるのを抑制することができる。
【００２８】
ミドルフレーム２１およびリアフレーム２５は、一般的にツメによる引っ掛け構造またはネジ止めにより互いに固定され、光源装置２の他の構成要素、表示パネル１および回路基板４等を保持する。
【００２９】
フロントフレーム３は、開口部３ａを有する枠状の部材であって、薄板の金属または樹脂等により構成される。フロントフレーム３は、表示パネル１および光源装置２を保持する。フロントフレーム３は、ツメ状の固定構造またはネジ止め等により、光源装置２に固定される。フロントフレーム３は一体で形成されたものであってもよいし、複数の部材を組み合わせて構成されたものであってもよい。また、フロントフレーム３の側面、正面、背面、または周辺部等に、表示装置１００を最終製品に取り付けるための取付部（ネジ、取付穴等）を設けてもよい。
【００３０】
＜回路基板の構成＞
回路基板４は、表示パネル１および光源２８を電気的入出力信号により制御する。回路基板４は、通常、表示パネル１に接続されたフィルム状の基材に配線が形成されたＦＰＣ６上に電子部品が実装された構成となっている。なお、回路基板４は、ガラスエポキシ等からなる基板に銅パターン等の配線パターンが形成され、表面に電子部品がハンダにより実装された構成であってもよい。
【００３１】
本実施の形態では、回路基板４は、表示装置１００が組み立てられた状態では、表示装置１００の裏面側（つまり光が出射されない側であってリアフレーム２５の背面側）に位置する。保護カバー５は、表示装置１００の裏面側において回路基板４を収容し、回路基板４を外部からの圧力および静電気から保護する。保護カバー５は、例えば、アルミニウム、ステンレスもしくは亜鉛めっき鋼板等の金属、またはＰＥＴ等のフィルム状の薄い樹脂からなる。保護カバー５は、フロントフレーム３との挟みこみ、またはリアフレーム２５とのネジ止めなどにより固定される。
【００３２】
本実施の形態では、保護カバー５は金属製の保護カバーであって、「シールドメタル」とも呼ばれる。保護カバー５が金属製のシールドメタルである場合には、リアフレーム２５の背面側に、回路基板４および回路基板４上の電子部品とリアフレーム２５との電気的接触を避けるために、ＰＥＴ等の樹脂の絶縁シート２７を貼り付けて、絶縁対策を行うことが望ましい。絶縁シート２７は例えば、一方の面に粘着材を備えており、回路基板４上の電子部品等に接着される。
【００３３】
＜光学シートの構成および位置の固定方法＞
以下では、光学シート２２１〜２２３の構成およびこれらの位置の固定方法についてより詳細に説明する。図３は、実施の形態１に係る光学シート２２１〜２２３の位置が固定される様子の一例を概略的に示す斜視図である。図４は、実施の形態１に係る光学シート２２１〜２２３の平坦な状態での形状の一例を概略的に示す平面図である。図５，６は、それぞれ、実施の形態１に係る光学シート２２１〜２２３の位置が固定された状態の一例を概略的に示す側面図および上面図である。
【００３４】
図３〜６に示されるように、光学シート２２１〜２２３は、平面視において導光板２３の出射面２３２の面積とほぼ同じサイズであって、それぞれ、その周縁の一部が外側に向けて延びる四角形状の延出部２２１ａ〜２２３ａを備える。延出部２２１ａ〜２２３ａは、光学シート２２１〜２２３を重ねた場合に、互いに完全には重ならないように位置をずらして並んでいる。本実施の形態では、延出部２２１ａ〜２２３ａは、同一方向に延びており、光学シート２２１〜２２３が導光板２３の出射面２３２上で重なる順番と同じ順番で離間して並んでいる。
【００３５】
光学シート２２１〜２２３は、図４に示される平坦な状態から、図３，５，６に示されるように、延出部２２１ａ〜２２３ａが導光板２３の側面２３１と対向するようにその根元で９０°折り曲げられた状態で導光板２３上に配置される。図４において、延出部２２３ａの折り曲げ箇所を破線で示している。図３，５，６の例では、延出部２２１ａ〜２２３ａは、導光板２３の側面２３１における入射面２３１ａと垂直な二つの面の一方の面２３１ｂと対向している。延出部２２１ａ〜２２３ａの長さは面２３１ｂよりはみ出さない長さであることが望ましい。図４，５の例では延出部２２１ａ〜２２３ａの長さは同一となっているが、異なっていてもよいし、面２３１ｂにおける同じ位置まで延びるような長さであってもよい。
【００３６】
光学シート２２１〜２２３の位置は、延出部２２１ａ〜２２３ａにつけられる粘着材２９によって固定される。粘着材２９は例えば、接着剤またはテープなどである。図３，５，６では、粘着材２９がテープである場合について示しており、延出部２２１ａ〜２２３ａが、その外側、つまり延出部２２１ａ〜２２３ａにおける導光板２３の面２３１ｂ側とは反対側から貼り付けられたテープである粘着材２９によって面２３１ｂに固定される場合を示している。なお、粘着材２９が両面テープまたは接着剤である場合には、延出部２２１ａ〜２２３ａの内側、つまり延出部２２１ａ〜２２３ａと導光板２３の面２３１ｂとの間に粘着材２９を配置して、延出部２２１ａ〜２２３ａを固定することでも、同様の効果が期待できる。
【００３７】
本実施の形態では、光学シート２２１〜２２３それぞれの周縁の一部が延びて導光板２３の側面２３１と対向するように折れ曲がる延出部２２１ａ〜２２３ａが粘着材２９によって導光板２３の面２３１ｂに貼り付けられることから、光学シート２２１〜２２３の位置ズレを抑制することができる。また、導光板に設けた凸形状または切欠き構造などに係合させて固定する場合、または導光板の上面でテープ固定する場合と比較して、光源装置２の狭額縁化が可能となる。
【００３８】
また、延出部２２１ａ〜２２３ａは、互いに重ならないように離間して並んでいることから、作業者は、光源装置２をリアフレーム２５およびミドルフレーム２１で封じる前に光学シート２２１〜２２３の配置忘れがないかを確認することができる。
【００３９】
また、延出部２２１ａ〜２２３ａは、光学シート２２１〜２２３が導光板２３の出射面２３２上で重なる順番と同じ順番で並んでいることから、作業者は、光学シート２２１〜２２３を配置する際に、配置順が間違っていないかを確認しやすくなる。
【００４０】
なお、延出部２２１ａ〜２２３ａは、互いに完全には重なっていなければ一部が重なって並んでいてもよい。この場合であっても上記と同様の効果が得られる。
【００４１】
なお、本実施の形態のように、延出部２２１ａ〜２２３ａが互いに重ならないように離間して並んでいる場合には、光学シートの枚数が多い場合であっても、導光板２３の面２３１ｂ側における光学シートによるサイズの増加は１枚分ですむことから狭額縁化にはより適した構造となる。
【００４２】
＜実施の形態２＞
図７，８は、それぞれ、本発明の実施の形態２に係る光学シート２２１〜２２３の位置が固定された状態の一例を概略的に示す側面図および上面図である。本実施の形態では、図７，８に示されるように、導光板２３は面２３１ｂに、延出部２２１ａ〜２２３ａと対向する部分が凹となる側面凹部２３４を有する。側面凹部２３４の深さは、延出部２２１ａ〜２２３ａそれぞれの厚み、つまり光学シート２２１〜２２３それぞれの厚みと同じであることが望ましい。なお、延出部２２１ａ〜２２３ａそれぞれの厚みが異なる場合には、それらの厚みに合わせて、延出部２２１ａ〜２２３ａのそれぞれと対向する部分の深さを変えることが望ましい。
【００４３】
延出部２２１ａ〜２２３ａは、側面凹部２３４内に配置され、実施の形態１と同様に粘着材２９で導光板２３の面２３１ｂに貼り付けられる。図７，８の例では、粘着材２９が一枚のテープであって、延出部２２１ａ〜２２３ａが、その外側から貼り付けられたテープである粘着材２９によって面２３１ｂに固定される場合を示している。なお、実施の形態２に係る表示装置において、導光板２３の形状と、光学シート２２１〜２２３の固定方法以外は、実施の形態１に係る表示装置１００と同様であるので、詳細な説明は省略する。
【００４４】
本実地の形態では、導光板２３は、面２３１ｂに延出部２２１ａ〜２２３ａと対向する部分が凹となる側面凹部２３４を有し、延出部２２１ａ〜２２３ａは側面凹部２３４内に配置されて粘着材２９で面２３１ｂに貼り付けられる。よって、実施の形態１と比較して粘着材２９と導光板２３の面２３１ｂとの密着面積が大きくなり密着性を向上することができる。
【００４５】
また、延出部２２１ａ〜２２３ａが配置された部分が平坦な形状になることから、光学シート２２１〜２２３が配置された導光板２３をミドルフレーム２１またはリアフレーム２５へ収納する際の収納性を向上することができる。さらに、実地の形態１と比較して、延出部２２１ａ〜２２３ａの厚み分の狭額縁化の効果が得られる。
【００４６】
＜実施の形態３＞
図９は、本発明の実施の形態３に係る光学シート２２１〜２２３の位置が固定される様子の一例を概略的に示す斜視図である。本実施の形態では、実施の形態１および実施の形態２と比較して、粘着材２９にかわり粘着材２９Ａで光学シート２２１〜２２３の位置を固定する。粘着材２９Ａは、接着剤または両面テープなどであって、延出部２２１ａ〜２２３ａを導光板２３の面２３１ｂに貼り付けるとともに、延出部２２１ａ〜２２３ａをリアフレーム２５に貼り付ける。図９の例では、粘着材２９Ａが一枚の両面テープである場合について示しており、一方の接着面が延出部２２１ａ〜２２３ａを導光板２３の面２３１ｂに貼り付け、他方の接着面がリアフレーム２５に貼り付けられる。よって、延出部２２１ａ〜２２３ａおよび導光板２３の面２３１ｂとリアフレーム２５とが貼り合わされて位置が固定される。
【００４７】
なお、粘着材２９Ａは、延出部２２１ａ〜２２３ａを導光板２３の面２３１ｂに貼り付けるとともに、延出部２２１ａ〜２２３ａをミドルフレーム２１に貼り付けてもよい。また、粘着材２９Ａが両面テープである場合には、その形状を、導光板２３の反出射面２３３側、つまり反射板２４と対向する位置にも配置されるような形状とし、反射板２４とリアフレーム２５とを貼り合せてもよい。なお、実施の形態３に係る表示装置において、粘着材２９Ａ以外の構成と、光学シート２２１〜２２３の固定方法以外は、実施の形態１に係る表示装置１００と同様であるので、詳細な説明は省略する。
【００４８】
本実施の形態では、粘着材２９Ａが延出部２２１ａ〜２２３ａを導光板２３の面２３１ｂに貼り付けるとともに、延出部２２１ａ〜２２３ａをリアフレーム２５に貼り付けることから、光学シート２２１〜２２３の位置ズレの抑制効果をより高めることができる。また、光学シート２２１〜２２３の位置の固定と、導光板２３とリアフレーム２５との固定との両方を粘着材２９Ａで行うことができる。
【００４９】
＜実施の形態４＞
図１０は、本発明の実施の形態４に係る光学シート２２３の平坦な状態での形状の一例を概略的に示す平面図である。図１１は、実施の形態４に係る光学シート２２３の位置が固定された状態の一例を概略的に示す背面図である。本実施の形態では、図１０，１１に示されるように、光学シート２２３は延出部２２３ａに加えて、延出部２２３ｂを有する。
【００５０】
延出部２２３ｂは、光学シート２２３における延出部２２３ａが設けられる辺と直交する辺から延びて、導光板２３の側面２３１のうち面２３１ｂと直交する面２３１ｃと対向するようにその根元で９０°折れ曲がっている。図１０において、延出部２２３ａ，２２３ｂの折り曲げ箇所を破線で示している。図１０，１１の例では、延出部２２３ａ，２２３ｂは、光学シート２２３の一つの角に近づけて配置されている。
【００５１】
このような配置にすることで、粘着材２９がテープである場合には、図１１に示されるように、延出部２２３ａ，２２３ｂを、それぞれ、１本のテープである粘着材２９によって導光板２３の側面２３１における面２３１ｂ，２３１ｃに貼り付けることができる。なお、実施の形態３にあるように粘着材２９のかわりに粘着材２９Ａを用いて、延出部２２３ａ，２２３ｂを導光板２３に貼り付けるとともに、延出部２２３ａ，２２３ｂをミドルフレーム２１またはリアフレーム２５に貼り付けてもよい。なお、実施の形態４に係る表示装置において、光学シート２２３の構成および位置固定方法以外は、実施の形態１に係る表示装置１００と同様であるので、詳細な説明は省略する。
【００５２】
本実施の形態では、光学シート２２３が導光板２３の側面２３１において直交する２方向で位置が固定されることから、光学シート２２３が回転方向で位置ズレすることを抑制することができる。なお、本実施の形態では、導光板２３が直方体状であるために、側面２３１における延出部２２３ａ，２２３ｂがそれぞれ対向する二つの面が直交し隣り合っているが、導光板２３の形状が側面を構成する面がより多いような形状である場合には、側面２３１における延出部２２３ａ，２２３ｂがそれぞれ対向する二つの面は、対向していないのであれれば直交している必要はない。このような場合であっても光学シート２２３の回転方向での位置ズレの効果を得ることができる。
【００５３】
なお、光学シート２２３は、３つ以上の延出部を有していてもよい。また、上記の例では、光学シート２２３についてのみ示したが、光学シート２２１，２２２のそれぞれも同様に、２つ以上の延出部を有していてもよい。
【００５４】
＜実施の形態５＞
図１２は、本発明の実施の形態５に係る光学シート２２１〜２２３の位置が固定される様子の一例を概略的に示す分解斜視図である。本実施の形態では、図１２に示されるように、延出部２２１ａ〜２２３ａは、それぞれ、導光板２３における出射面２３２とは反対側の背面となる反出射面２３３と対向するようにさらに延びて９０°折れ曲がった折返し部２２１ａａ〜２２３ａａを有する。光学シート２２１〜２２３は、折り返し部２２１ａａ〜２２３ａａに導光板２３の背面側において粘着材２９によって位置固定される。図１２の例では、粘着材２９が一枚のテープである場合について示しており、光学シート２２１〜２２３は、折り返し部２２１ａａ〜２２３ａａに導光板２３の背面側からテープである粘着材２９が貼り付けられることによって位置固定される場合を示している。なお、実施の形態５に係る表示装置において、光学シート２２１〜２２３の構成および位置固定方法以外は、実施の形態１に係る表示装置１００と同様であるので、詳細な説明は省略する。
【００５５】
図１２では、光学シート２２１〜２２３を配置した状態での延出部２２１ａ〜２２３ａの位置を２点鎖線で示している。図１２の例では、光学シート２２１〜２２３は、導光板２３と、その反出射面２３３側に配置される反射板２４とを巻き込むようにして配置される。折返し部２２１ａａ〜２２３ａａは、反射板２４の背面と対向しており、粘着材２９によって反射板２４の背面に貼り付けられる。なお、上記のように粘着材２９のかわりに粘着材２９Ａを用いて、折り返し部２２１ａａ〜２２３ａａとリアフレーム２５とを貼り合せてもよい。
【００５６】
本実施の形態では、導光板２３における面２３１ｂよりも広い反出射面２３３側において、延出部２２１ａ〜２２３ａを粘着材２９によって位置固定することから、面２３１ｂ側のみで位置固定する場合よりも接着面を大きくすることができる。よって、より強固に光学シート２２１〜２２３の位置ズレを抑制することができる。また、導光板２３が薄く、側面２３１において延出部２２１ａ〜２２３ａを貼り付けて固定するのに十分な領域を確保できない場合にも対応することができる。
【００５７】
＜実施の形態６＞
図１３は、本発明の実施の形態６に係る光学シート２２１〜２２３の位置が固定される様子の一例を概略的に示す分解斜視図である。本実施の形態では、図１３に示されるように、実施の形態５と比較して、導光板２３は反出射面２３３に、折返し部２２１ａａ〜２２３ａａと対向する部分が凹となる背面凹部２３５を有する。図１３の例では、背面凹部２３５は、反出射面２３３の折返し部２２１ａａ〜２２３ａａと対向する部分がクサビ状に切り欠かれたような形状となっている。なお、実施の形態６に係る表示装置において、導光板２３の形状と、光学シート２２１〜２２３の位置固定方法以外は、実施の形態５に係る表示装置１００と同様であるので、詳細な説明は省略する。
【００５８】
背面凹部２３５の深さは、折返し部２２１ａａ〜２２３ａａそれぞれの厚み、つまり光学シート２２１〜２２３それぞれの厚みと同じであることが望ましい。なお、折返し部２２１ａａ〜２２３ａａそれぞれの厚みが異なる場合には、それらの厚みに合わせて、折返し部２２１ａａ〜２２３ａａのそれぞれと対向する部分の深さを変えることが望ましい。
【００５９】
図１３では、光学シート２２１〜２２３を配置した状態での延出部２２１ａ〜２２３ａの位置を２点鎖線で示している。図１３の例では、光学シート２２１〜２２３は、導光板２３と、その反出射面２３３側に配置される反射板２４とを巻き込むようにして配置される。反射板２４は、背面凹部２３５に沿うように屈曲される。折返し部２２１ａａ〜２２３ａａは、反射板２４を介して背面凹部２３５内に配置され、粘着材２９によって反射板２４の背面に貼り付けられる。なお、上記のように粘着材２９のかわりに粘着材２９Ａを用いて、折り返し部２２１ａａ〜２２３ａａとリアフレーム２５とを貼り合せてもよい。
【００６０】
本実施の形態では、導光板２３は、反出射面２３３に折返し部２２１ａａ〜２２３ａａと対向する部分が凹となる背面凹部２３５を有し、折返し部２２１ａａ〜２２３ａａは背面凹部２３５内に配置されて粘着材２９で貼り付けられる。よって、折返し部２２１ａａ〜２２３ａａが配置された部分が平坦な形状になることから、リアフレーム２５などと干渉しにくくなり、光源装置２の薄型化が可能となる。
【００６１】
＜実施の形態７＞
図１４は、本発明の実施の形態７に係る光学シート２２１〜２２３および導光板２３を示す側面図である。本実施の形態では、延出部２２１ａ〜２２３ａは、長方形状ではなく、台形、逆台形または楕円形状などの形状となっており、延出部２２１ａ〜２２３ａの延出方向に位置する辺が傾斜している、または円弧状になっている。また、隣り合う二つの延出部は、並んで配置された場合に組み合わさるような互いに対応する形状となっている。延出部２２１ａ〜２２３ａは互いに異なる形状となっていることが望ましい。なお、実施の形態７に係る表示装置において、延出部２２１ａ〜２２３ａの形状以外は、実施の形態１に係る表示装置１００と同様であるので、詳細な説明は省略する。
【００６２】
本実施の形態では、延出部２２１ａ〜２２３ａのうち、隣り合う二つの延出部は互いに対応する形状であることから、作業者は、光学シート２２１〜２２３を配置する際に、延出部２２１ａ〜２２３ａの形状を確認することによって、配置順が間違っていないか、配置忘れがないかをより確認しやすくなる。
【００６３】
具体的には、図１４の例では、延出部２２１ａにおける延出部２２２ａ側の辺は、延出部２２２ａとは反対側に凹となる円弧状となっており、延出部２２２ａにおける延出部２２１ａ側の辺は延出部２２１ａ側に凸となる円弧状となっている。つまりこの２辺が組み合わさるように、延出部２２１ａと延出部２２２ａとが互いに対応する形状となっている。一方、延出部２２３ａにおける延出部２２１ａ，２２２ｂ側の辺は、延出部２２２ａにおける延出部２２３ａ側の辺と対応するように傾斜しており、延出部２２１ａにおける延出部２２３ａ側の辺とは対応していない。これにより、作業者は、光学シート２２１〜２２３を配置する際に、延出部２２１ａ，２２２ａを並べて配置する、つまり光学シート２２１の次に光学シート２２２を配置することを容易に確認することができる。
【００６４】
なお、本発明は、その発明の範囲内において、各実施の形態を自由に組み合わせたり、各実施の形態を適宜、変形、省略したりすることが可能である。
【符号の説明】
【００６５】
１  表示パネル、２  光源装置、２１  ミドルフレーム、２３  導光板、２４  反射板、２５  リアフレーム、２８  光源、２９，２９Ａ  粘着材、１００  表示装置、２２１，２２２，２２３  光学シート、２２１ａ，２２２ａ，２２３ａ  延出部、２２１ａａ，２２２ａａ，２２３ａａ  折返し部、２３１  側面、２３１ａ  入射面、２３１ｂ，２３１ｃ  面、２３２  出射面、２３３  反出射面、２３４  側面凹部、２３５  背面凹部。
【図１】
2018106875.tif 000003
【図２】
2018106875.tif 000004
【図３】
2018106875.tif 000005
【図４】
2018106875.tif 000006
【図５】
2018106875.tif 000007
【図６】
2018106875.tif 000008
【図７】
2018106875.tif 000009
【図８】
2018106875.tif 000010
【図９】
2018106875.tif 000011
【図１０】
2018106875.tif 000012
【図１１】
2018106875.tif 000013
【図１２】
2018106875.tif 000014
【図１３】
2018106875.tif 000015
【図１４】
2018106875.tif 000016